(57)【要約】      （修正有）【課題】車両のカップホルダーに嵌めて使用可能な程度に小型でありながらも、脱臭はもちろん、集塵及び殺菌が可能で、堅固であり、維持補修が簡便な空気清浄器を提供する。【解決手段】ＵＶ  ＬＥＤ基板５５に設置された光触媒用ＵＶ  ＬＥＤ５７とＵＶ  ＬＥＤ基板から光触媒用ＵＶ  ＬＥＤと向かう面に離隔して設置される光触媒フィルター８０とを含み、光触媒フィルターは光触媒用ＵＶ  ＬＥＤに向かう方向に空気流動路が形成される複数のセルが隣接して平行に形成された基体上に光触媒物質がコーティングされた構造を備える。【選択図】図１４
2020171739.tif 000002
【特許請求の範囲】
【請求項１】
ＵＶ  ＬＥＤ基板（５５）に設置された光触媒用ＵＶ  ＬＥＤ（５７）と、
前記ＵＶ  ＬＥＤ基板から前記光触媒用ＵＶ  ＬＥＤと向かう面に離隔して設置される光触媒フィルターと、を含み、
前記光触媒フィルターの前面で測定した紫外線の強さが１０ｍＷ／ｃｍ2〜２０ｍＷ／ｃｍ2である空気清浄器。
【請求項２】
ＵＶ  ＬＥＤ基板（５５）に設置された光触媒用ＵＶ  ＬＥＤ（５７）と、
前記ＵＶ  ＬＥＤ基板から前記光触媒用ＵＶ  ＬＥＤと向かう面に離隔して設置される光触媒フィルターと、を含み、
前記光触媒用ＵＶ  ＬＥＤから照射される紫外線は３４０ｎｍ〜３８０ｎｍのピーク波長を有する空気清浄器。
【請求項３】
ＵＶ  ＬＥＤ基板（５５）に設置された光触媒用ＵＶ  ＬＥＤ（５７）と、
前記ＵＶ  ＬＥＤ基板から前記光触媒用ＵＶ  ＬＥＤと向かう面に離隔して設置される光触媒フィルターと、を含み、
前記光触媒フィルターは、前記光触媒用ＵＶ  ＬＥＤと向かう方向に空気流動路が形成される複数のセル（８３）が隣接して平行に形成された基体上に光触媒物質がコーティングされた構造である空気清浄器。
【請求項４】
ＵＶ  ＬＥＤ基板（５５）に設置された光触媒用ＵＶ  ＬＥＤ（５７）と、
前記ＵＶ  ＬＥＤ基板から前記光触媒用ＵＶ  ＬＥＤと向かう面に離隔して設置される光触媒フィルターと、を含み、
前記ＵＶ  ＬＥＤ基板及び前記光触媒フィルターは、空気が流動する内部ハウジング（３０）内に設置され、
前記光触媒フィルターは、相対的に断面積が大きい内部ハウジングの内壁に接して設置され、
前記ＵＶ  ＬＥＤ基板は、相対的に断面積が小さい内部ハウジングの内壁に対して離隔して設置される空気清浄器。
【請求項５】
ＵＶ  ＬＥＤ基板（５５）に設置された光触媒用ＵＶ  ＬＥＤ（５７）と、
前記ＵＶ  ＬＥＤ基板から前記光触媒用ＵＶ  ＬＥＤと向かう面に離隔して設置される光触媒フィルターと、を含み、
前記光触媒フィルターは空気の流動路に設置され、
前記光触媒フィルター（８０）より空気流動方向の上流には第１カーボンフィルター（７０）が設置され、前記光触媒フィルター（８０）より空気流動方向の下流には第２カーボンフィルター（７５）が設置される空気清浄器。
【請求項６】
紫外線の強さは１４ｍＷ／ｃｍ2〜１５ｍＷ／ｃｍ2である、請求項１から５のいずれか１項に記載の空気清浄器。
【請求項７】
前記光触媒用ＵＶ  ＬＥＤから照射される紫外線は３６０ｎｍ〜３７０ｎｍのピーク波長を有する、請求項１から５のいずれか１項に記載の空気清浄器。
【請求項８】
前記光触媒用ＵＶ  ＬＥＤに印加される電源は、電圧が５Ｖ〜１５Ｖで、電流が２００ｍＡ〜３００ｍＡである、請求項１から５のいずれか１項に記載の空気清浄器。
【請求項９】
前記光触媒フィルターは、前記光触媒用ＵＶ  ＬＥＤと向かう方向に空気流動路が形成される複数のセル（８３）が隣接して平行に形成された基体上にＴｉＯ2がコーティングされたものである、請求項１から５のいずれか１項に記載の空気清浄器。
【請求項１０】
前記光触媒フィルターにＴｉＯ2をコーティングするために焼結する温度は３５０℃〜４５０℃で、焼結時間は１時間〜２時間である、請求項９に記載の空気清浄器。
【請求項１１】
前記光触媒フィルターの高さ（ｈ）は２ｍｍ〜１５ｍｍである、請求項３に記載の空気清浄器。
【請求項１２】
前記光触媒フィルターの高さ（ｈ）は５ｍｍ〜１０ｍｍである、請求項３に記載の空気清浄器。
【請求項１３】
前記各セルを区分する隔壁であるフレームの厚さ（ｔ）は０．３ｍｍ〜１．２ｍｍである、請求項３に記載の空気清浄器。
【請求項１４】
前記各セルを区分する隔壁であるフレームの厚さ（ｔ）は０．５ｍｍ〜０．７ｍｍである、請求項３に記載の空気清浄器。
【請求項１５】
前記セルの内部離隔間隔は１ｍｍ〜４ｍｍである、請求項３に記載の空気清浄器。
【請求項１６】
前記セルの内部離隔間隔は１．８ｍｍ〜２．２ｍｍである、請求項３に記載の空気清浄器。
【請求項１７】
前記セルの稠密度は３０セル／ｉｎｃｈ2〜２６０セル／ｉｎｃｈ2である、請求項３に記載の空気清浄器。
【請求項１８】
前記セルの稠密度は８０セル／ｉｎｃｈ2〜１２０セル／ｉｎｃｈ2である、請求項３に記載の空気清浄器。
【請求項１９】
前記光触媒フィルターの前面の面積が４2ｃｍ2〜７2ｃｍ2で、
前記光触媒用ＵＶ  ＬＥＤと前記光触媒フィルターの前面との間の距離が２ｃｍ〜３ｃｍである、請求項１から５のいずれか１項に記載の空気清浄器。
【請求項２０】
前記光触媒フィルターの前面の面積が５．３2ｃｍ2〜５．７2ｃｍ2で、
前記光触媒用ＵＶ  ＬＥＤと前記光触媒フィルターの前面との間の距離が２ｃｍ〜３ｃｍである、請求項１から５のいずれか１項に記載の空気清浄器。
【請求項２１】
前記ＵＶ  ＬＥＤ基板と前記光触媒フィルターとの間の側面には紫外線反射板が設置された、請求項１から５のいずれか１項に記載の空気清浄器。
【請求項２２】
前記ＵＶ  ＬＥＤ基板（５５）には、前記光触媒用ＵＶ  ＬＥＤの紫外線照射方向と同一の方向に殺菌用波長を有する紫外線を照射する殺菌用ＵＶ  ＬＥＤ（５６）が設置された、請求項１から５のいずれか１項に記載の空気清浄器。
【請求項２３】
前記光触媒フィルターの後面側には集塵フィルター（９０）が設置された、請求項２２に記載の空気清浄器。
【請求項２４】
前記内部ハウジング内で前記ＵＶ  ＬＥＤ基板が設置された部分から前記光触媒フィルターが設置された部分に空気が流動する、請求項４に記載の空気清浄器。
【請求項２５】
前記内部ハウジング内で前記ＵＶ  ＬＥＤ基板が設置された部分より空気流動の上流にファン（６０）が設置され、
前記光触媒フィルターが設置された部分より下流には、空気が内部ハウジングから吐出される吐出部（３４）が形成される、請求項２４に記載の空気清浄器。
【請求項２６】
前記内部ハウジングの上部には、吐出部への空気の流動を誘導する流線型縮小ダクト（３８２）が形成された、請求項２５に記載の空気清浄器。
【請求項２７】
前記吐出部（３４）の上流には、紫外線が吐出部を介して外部に直接照射されることを防止する紫外線出射防止板（３９）が設置された、請求項２５に記載の空気清浄器。
【請求項２８】
上部ハウジング（１０）の下部には、上部ハウジングより直径が小さい下部ハウジング（２０）が配置され、
前記内部ハウジング（３０）は、上部ハウジング及び下部ハウジングの内部に離隔して固定され、
断面積が大きい内部ハウジング部分は上部ハウジングに、断面積が小さい内部ハウジング部分は下部ハウジングに対応して固定され、
前記下部ハウジングの上端一側には、下部ハウジングの外部の空気が下部ハウジングの内部に吸入される通路として吸入グレートが形成される、請求項２４に記載の空気清浄器。
【請求項２９】
前記内部ハウジングの下端に形成された空気流入口（３０２）は、前記吸入グレートより低い位置に位置し、
前記吸入グレートと空気流入口との間の高さ部分で前記下部ハウジングと前記内部ハウジングとは互いに離隔している、請求項２８に記載の空気清浄器。
【請求項３０】
前記空気流入口（３０２）には第１カーボンフィルターが設置される、請求項２９に記載の空気清浄器。
【請求項３１】
前記空気流入口（３０２）には一対の平行な段付き部材（３０５）が形成され、
前記第１カーボンフィルター（７０）のハウジング（７１）の幅が前記一対の段付き部材（３０５）の間に圧入される幅である、請求項３０に記載の空気清浄器。
【請求項３２】
前記内部ハウジングと下部ハウジングのねじ締結部（３０６）のラウンド形状が前記ハウジング（７１）を支持し、前記第１カーボンフィルターが段付き部材から抜け出ることを防止する、請求項３１に記載の空気清浄器。
【請求項３３】
ファンが前記内部ハウジングの下端に固定され、前記ファンの排出部（６３）は後方上部方向に内部ハウジングの内部に空気を排出し、前記内部ハウジングのファン収容部（３０１）の上部には、前記排出部（６３）から空気が流動する断面積が徐々に広くなる形状の流線型拡大ダクト（３８１）が設置された、請求項２９に記載の空気清浄器。
【請求項３４】
前記ファンの排出部（６３）上部の内部ハウジングの内部には、拡径されたダクトへの空気の拡散を誘導する流動ガイド（３７）が形成された、請求項３３に記載の空気清浄器。
【請求項３５】
前記流線型拡大ダクト（３８１）の上部には前記ＵＶ  ＬＥＤ基板が離隔して設置され、
前記ＵＶ  ＬＥＤ基板は、前記流線型拡大ダクトの流線方向に対応して傾斜して設置される、請求項３３に記載の空気清浄器。
【請求項３６】
前記ファンの吸入部（６１）は、互いに対向して左側及び右側方向に形成されており、前記吸入グレートは下部ハウジングの前方に形成された、請求項３３に記載の空気清浄器。
【請求項３７】
前記内部ハウジングは、左側ハウジング（３１）と右側ハウジング（３２）とに二分される、請求項４に記載の空気清浄器。
【請求項３８】
前記光触媒フィルター（８０）より空気流動方向の下流に設置される集塵フィルター（９０）をさらに含む、請求項５に記載の空気清浄器。
【請求項３９】
前記集塵フィルター（９０）は、前記第２カーボンフィルター（７５）より空気流動方向の下流に配置される、請求項３８に記載の空気清浄器。
【請求項４０】
前記第２カーボンフィルター（７５）は粒状活性炭である、請求項３９に記載の空気清浄器。
【請求項４１】
前記集塵フィルター（９０）は、前記第２カーボンフィルター（７５）と一体に形成されてフィルター部材（９３）を形成する、請求項３８に記載の空気清浄器。
【請求項４２】
前記第２カーボンフィルター（７５）は、粒状活性炭が埋め込められた不織布の形態である、請求項５に記載の空気清浄器。
【請求項４３】
前記第２カーボンフィルター（７５）はパルプ型活性炭である、請求項５に記載の空気清浄器。
【請求項４４】
前記第１カーボンフィルター（７０）のハウジング（７１）にはプリフィルター面（７２）が形成され、前記ハウジングの内部には活性炭が収容された、請求項５に記載の空気清浄器。
【発明の詳細な説明】
【技術分野】
【０００１】
本発明は、空気清浄器に関する。より詳細には、本発明は、車両のカップホルダーに嵌めて使用可能な程度に小型でありながらも脱臭性能に優れ、脱臭はもちろん、集塵及び殺菌が可能であり、フィルターを簡単に取り替えることができ、稼動と中断を繰り返しても、光触媒フィルターで発生する臭いが空気清浄器の外部に漏れないようにする空気清浄器に関する。
【背景技術】
【０００２】
酸化チタン（ＴｉＯ2）は、コーティングされる基質の種類とは関係なく高い付着力を維持し、酸化チタンに光励起反応を起こし得る光源（主に紫外線）が提供されると光触媒活性を示す。
【０００３】
特に、酸化チタンを用いた光触媒反応は、抗菌及び脱臭などの効果を有しており、空気清浄用として多く使用されている。例えば、空気を、酸化チタンでコーティングされた光触媒フィルター（ＴｉＯ2  ｃｅｒａｍｉｃ  ｆｏｒｍ  ｆｉｌｔｅｒ）を介して通過させながら光触媒フィルターに紫外線を照射し、光触媒反応を起こすことによって空気の悪臭を脱臭する方式は、現在広く使用されている脱臭方式である。
【０００４】
一般に、酸化チタンは、それ自体で使用されるよりは、基体上にコーティングされた形態で使用されるので、酸化チタンでコーティングされた光触媒フィルターの形状は、基体の形状によって決定されることがほとんどである。
【０００５】
酸化チタンによる脱臭は、主に中大型空調機器で用いられており、小型又は家庭用空気清浄器にはあまり使用されていない。
【０００６】
空気の流動量が多く、空気の流動面積が大きい大型空調機器の場合は、紫外線を強く発生させ、光触媒フィルターを大きく構成すると、何ら問題なく脱臭効果を収めることができた。
【０００７】
しかし、小型空気清浄器の場合は、光触媒フィルターのサイズが制限されており、紫外線を発生させる装置のサイズも制限され、空気の流動量も少ない。したがって、小型光触媒フィルター及び紫外線発生構造によっても一定水準以上の脱臭効率を有する空気清浄器を開発する必要がある。特に、家庭用空気清浄器の場合、騒音を考慮しなければならなく、電気消耗量も非常に敏感に考慮しなければならない。しかし、従来は、中大型空調機器に重みを置いて技術が開発されてきたので、このような新しい環境に適用するのに適した技術がほとんどない。
【０００８】
小型空気清浄器で光触媒フィルターの効率を高めようとする意図で紫外線をむやみに強く照射すると、光触媒フィルターの効率が保障されていない状態で強い紫外線が照射される領域の素材が速く変性したり、電気消耗量が過度に高くなったりする。また、ＵＶ  ＬＥＤをより多く設置しなければならない点、及びＵＶ  ＬＥＤの寿命が短くなるという点は、原価を上昇させる他の一つの要因になり得る。
【０００９】
また、酸化チタンが最もうまく吸収される波長帯領域として知られている２７０ｎｍ付近のピーク波長を有するＵＶ  ＬＥＤを使用したときに空気清浄器の効率を高められると漠然と予想することは可能であるが、実際に２７０ｎｍのピーク波長を有するＵＶ  ＬＥＤが照射する紫外線の強さは、使用される電力に比べて相当弱い水準であるので、漠然と２７０ｎｍのピーク波長を有するＵＶ  ＬＥＤを使用するとして脱臭効率が良いとは言えない。
【００１０】
小さいサイズでも効率を高められる光触媒フィルターの形状や寸法、及び光触媒フィルターと紫外線光源との関係も新しく研究されなければならない。特に、光触媒フィルターの形状や寸法などは空気抵抗と密接に関連していると言えるが、小型空気清浄器に適用可能なファンの規格や性能は制限的であるので、小型空気清浄器における流動抵抗を減少させることによって空気の流動を円滑に維持することも、空気清浄器としての諸機能をするにおいて重要な課題である。
【００１１】
併せて、光触媒フィルター自体の光触媒活性化効率を高められるフィルターの製造方法も模索すべき必要性がある。小さい体積の光触媒フィルターのみでもより大きい脱臭効果を収められる技術は、小型空気清浄器に関する技術分野で最も必要な技術の一つであると言っても過言ではない。
【００１２】
次に、ＵＶ  ＬＥＤ及び光触媒フィルターを活用してコンパクトな空気清浄器を構成するにおいて、どのような順序でファン及び各種フィルターを配置すべきであるのかも愼重に考慮すべき事項である。従来の中大型空調機器では、まず、集塵フィルターで埃をろ過した後、光触媒フィルターで脱臭を行ったが、フィルターは流動する空気の圧力を低下させる最も大きな構成であるので、これをそのまま小型空気清浄器に適用するとして、光触媒フィルターが中大型空調機器に使用される場合のようにその機能を発揮するのかは未知数である。
【００１３】
また、家庭では、空気中の有害細菌を除去する必要性があるが、細菌までろ過するものと知られているＨＥＰＡフィルターは、空気抵抗の激しいフィルターであるので、空気清浄器が小さくなるほど適用しにくい。また、ＨＥＰＡフィルターを設置することによって空気抵抗が激しくなると、却って光触媒フィルターの脱臭反応にも影響を及ぼし得るので、空気清浄器内の空気流動を大きく妨害しないと共に細菌を効率的に除去できる他の方案を模索する必要性がある。
【００１４】
特に、タバコの臭いがめったに抜けない車両の内部は、脱臭効率に優れた空気清浄器が切実に要求される空間であるが、車両の内部は非常に狭いので、空間をほとんど占めないと共に相当な水準の空気清浄能力を有する空気清浄器が必要である。特に、車両は揺れの多い空間であるので、そのような環境でも固定された位置をよく維持できる形態が要求され、設置が簡単でなければならない。特に、車両用空気清浄器は、ほとんどが自動車企業でオプションとしている状況であり、車両を変えるときに空気清浄器を継続して使用できないという問題を有するので、車両用空気清浄器に関する技術分野ではポータブルな空気清浄器に対する需要が高くなるだろう。
【００１５】
また、空気清浄器を車両で使用する場合、空気清浄器は車両を運行する間にのみ使用するので、空気清浄器を稼動及び中断する使用パターンが繰り返される。ところが、このような光触媒フィルターが適用された空気清浄器の使用パターンを実験した結果、空気清浄器の稼動を長時間中断してから再び稼動すると、光触媒フィルターが適用されていないフィルターに比べて稼動初期に空気清浄器の吐出部から良くない臭いが排出されるという点を確認できた。小型の車両用空気清浄器において、特に、稼動と中断が繰り返され、車両運行時間がそれほど長くない点を勘案すると、消費者は、車両を運行する度に空気清浄器から吐出される臭いに不快感を感じることがあり、製品使用の満足度が低下する。
【００１６】
併せて、機能のみを過度に強調した結果、維持補修又は製作が難しくなると、商品性が低下することはもちろん、ユーザーが不便を感じるおそれがあるので、構造が複雑でなく、製作が難しくなく、維持補修が便利でなければならない。
【発明の概要】
【発明が解決しようとする課題】
【００１７】
本発明は、上述した従来技術の問題を解決するためになされたものであって、ＵＶ  ＬＥＤ及び光触媒フィルターを用いて空気清浄器を小型で構成するにおいて、脱臭効率を高められるＵＶ  ＬＥＤの紫外線の強さ、ピーク波長、入力電源、光触媒フィルターの形状、サイズ、寸法、材質、加工方法、及びＵＶ  ＬＥＤと光触媒フィルターとの間の関係を提供することを目的とする。
【００１８】
また、本発明は、脱臭効率のみならず、集塵及び殺菌効率も高い小型の空気清浄器を提供することを目的とする。
【００１９】
また、本発明は、車両のカップホルダーに嵌めて使用可能な程度にコンパクトで、車両の室内空間に簡単に固定できる空気清浄器を提供することを目的とする。
【００２０】
また、本発明は、空気清浄能力を最大限大きくしながらも消耗電力が少なく、騒音が少ない空気清浄器を提供することを目的とする。
【００２１】
また、本発明は、維持補修が簡便な空気清浄器を提供することを目的とする。
【００２２】
また、本発明は、複雑であるが、仕組みを備えて内部を構成し、よりコンパクトな空気清浄器を提供することを目的とする。
【００２３】
また、本発明は、光触媒フィルターを適用した空気清浄器で稼動初期に発生する臭いの原因を究明し、そのような現象を防止できる解決策を提供することを目的とする。
【課題を解決するための手段】
【００２４】
上述した課題を解決するために、本発明は、ＵＶ  ＬＥＤ基板（５５）に設置された光触媒用ＵＶ  ＬＥＤ（５７）と、前記ＵＶ  ＬＥＤ基板から前記光触媒用ＵＶ  ＬＥＤと向かう面に離隔して設置される光触媒フィルターと、を含む空気清浄器を提供するにおいて、次のような技術的特徴を有する空気清浄器を提供する。
【００２５】
前記光触媒フィルターは、基体上にＴｉＯ2がコーティングされたものである空気清浄器を提供する。
【００２６】
前記光触媒フィルターの前面で測定した紫外線の強さが１０ｍＷ／ｃｍ2〜２０ｍＷ／ｃｍ2で、好ましくは１４ｍＷ／ｃｍ2〜１５ｍＷ／ｃｍ2である空気清浄器を提供する。
【００２７】
前記光触媒用ＵＶ  ＬＥＤから照射される紫外線は３４０ｎｍ〜３８０ｎｍのピーク波長を有し、好ましくは３６０ｎｍ〜３７０ｎｍのピーク波長を有する空気清浄器を提供する。
【００２８】
前記光触媒用ＵＶ  ＬＥＤに印加される電源は、電圧が５Ｖ〜１５Ｖで、電流が２００ｍＡ〜３００ｍＡである空気清浄器を提供する。
【００２９】
前記光触媒フィルターは、前記光触媒用ＵＶ  ＬＥＤと向かう方向に空気流動路が形成される複数のセル（８３）が隣接して平行に形成された構造であり、前記光触媒フィルターの高さ（ｈ）は２ｍｍ〜１５ｍｍで、好ましくは、５ｍｍ〜１０ｍｍである空気清浄器を提供する。
【００３０】
空気流動方向から見た前記セルの形状は正方形である空気清浄器を提供する。
【００３１】
前記各セルを区分する隔壁であるフレームの厚さ（ｔ）は０．３ｍｍ〜１．２ｍｍで、好ましくは０．５ｍｍ〜０．７ｍｍである空気清浄器を提供する。
【００３２】
前記セルの内部離隔間隔は１ｍｍ〜４ｍｍで、好ましくは１．８ｍｍ〜２．２ｍｍである空気清浄器を提供する。
【００３３】
前記セルの稠密度は３０セル／ｉｎｃｈ2〜２６０セル／ｉｎｃｈ2で、好ましくは８０セル／ｉｎｃｈ2〜１２０セル／ｉｎｃｈ2である空気清浄器を提供する。
【００３４】
前記基体は多孔質のセラミック材質である空気清浄器を提供する。
【００３５】
前記光触媒フィルターにＴｉＯ2をコーティングするために焼結する温度は３５０℃〜４５０℃で、焼結時間は１時間〜２時間である空気清浄器を提供する。
【００３６】
前記ＵＶ  ＬＥＤ基板が設置された部分から前記光触媒フィルターが設置された部分に空気が流動する空気清浄器を提供する。
【００３７】
前記ＵＶ  ＬＥＤ基板と光触媒フィルターとの間の側面には紫外線反射板が設置された空気清浄器を提供する。
【００３８】
空気流動方向から見た前記光触媒フィルターの前面の外観形状は円形又は正方形である空気清浄器を提供する。
【００３９】
前記光触媒フィルターの前面の面積が４2ｃｍ2〜７2ｃｍ2で、前記光触媒用ＵＶ  ＬＥＤと前記光触媒フィルターの前面との間の距離が２ｃｍ〜３ｃｍで、好ましくは、前記光触媒フィルターの前面の面積が５．３2ｃｍ2〜５．７2ｃｍ2で、前記光触媒用ＵＶ  ＬＥＤと前記光触媒フィルターの前面との間の距離が２ｃｍ〜３ｃｍである空気清浄器を提供する。
【００４０】
前記ＵＶ  ＬＥＤ基板（５５）には、光触媒用ＵＶ  ＬＥＤの紫外線照射方向と同一の方向に殺菌用波長を有する紫外線を照射する殺菌用ＵＶ  ＬＥＤ（５６）が設置された空気清浄器を提供する。
【００４１】
前記光触媒フィルターの後面側には第２カーボンフィルター（７５）が設置された空気清浄器を提供する。
【００４２】
前記第２カーボンフィルターは粒状活性炭であってよい。
【００４３】
前記第２カーボンフィルターは、前記粒状活性炭が埋め込まれた不織布の形態であってよい。
【００４４】
前記第２カーボンフィルター（７５）はパルプ型活性炭であってよい。
【００４５】
前記光触媒フィルターの後面側には集塵フィルター（９０）が設置された空気清浄器を提供する。
【００４６】
前記光触媒フィルターの後面側に設置された第２カーボンフィルターは、前記光触媒フィルターの後面側に設置された集塵フィルターより光触媒フィルターに近く設置された空気清浄器を提供する。
【００４７】
前記光触媒フィルターの後面側に設置された第２カーボンフィルターは、前記光触媒フィルターの後面側に設置された集塵フィルターと一体に形成されてフィルター部材（９３）を形成する空気清浄器を提供する。
【００４８】
前記ＵＶ  ＬＥＤ基板及び前記光触媒フィルターは、空気が流動する内部ハウジング（３０）内に設置され、前記光触媒フィルターは、相対的に断面積が大きい内部ハウジングの内壁に接して設置され、前記ＵＶ  ＬＥＤ基板は、相対的に断面積が小さい内部ハウジングの内壁に対して離隔して設置される空気清浄器を提供する。
【００４９】
相対的に直径が大きい上部ハウジング（１０）の下部に相対的に直径が小さい下部ハウジング（２０）が配置され、上下方向に連通する中空の内部空間を有する前記内部ハウジング（３０）は、上部ハウジング及び下部ハウジングの内部に離隔して固定され、断面積が大きい内部ハウジング部分は上部ハウジングに、断面積が小さい内部ハウジング部分は下部ハウジングに対応して固定され、前記下部ハウジングの上端一側には、下部ハウジングの外部の空気が下部ハウジングの内部に吸入される通路として吸入グレートが形成される空気清浄器を提供する。
【００５０】
前記内部ハウジングの下端に形成された空気流入口（３０２）は前記吸入グレートより低い部分に位置し、前記吸入グレートと空気流入口との間の高さ部分で前記下部ハウジングと前記内部ハウジングとが互いに離隔している空気清浄器を提供する。
【００５１】
前記内部ハウジング内で前記ＵＶ  ＬＥＤ基板が設置された部分より空気流動の上流にファン（６０）が設置される空気清浄器を提供する。
【００５２】
内部ハウジングの外部の空気を内部ハウジングの内部に強制に流動させるファンが前記内部ハウジングの下端のファン収容部（３０１）に固定設置され、前記ファンの吸入部（６１）は互いに対向して左側及び右側方向に形成されており、前記空気流入口（３０２）もファン収容部（３０１）の左右方向に互いに対向して形成され、前記吸入グレートは下部ハウジングの前方に形成された空気清浄器を提供する。
【００５３】
前記内部ハウジングは左側ハウジング（３１）と右側ハウジング（３２）とに二分される空気清浄器を提供する。
【００５４】
前記空気流入口（３０２）には第１カーボンフィルターが設置される空気清浄器を提供する。
【００５５】
前記下部ハウジング（２０）は、前方ハウジング（２１）と後方ハウジング（２２）とに二分され、前記前方ハウジング（２１）を分離すると、前記第１カーボンフィルターの設置部が外部に露出する空気清浄器を提供する。
【００５６】
前記空気流入口（３０２）には一対の平行な段付き部材（３０５）が形成され、前記第１カーボンフィルター（７０）のハウジング（７１）の幅が前記一対の段付き部材（３０５）の間に圧入される幅である空気清浄器を提供する。
【００５７】
前記内部ハウジング及び下部ハウジングのねじ締結部（３０６）のラウンド形状が前記ハウジング（７１）を支持し、前記第１カーボンフィルターが段付き部材から抜け出ることを防止する空気清浄器を提供する。
【００５８】
前記第１カーボンフィルターのハウジング（７１）にはプリフィルター面（７２）が形成され、ハウジングの内部には活性炭が収容された空気清浄器を提供する。
【００５９】
前記ハウジング（７１）には弾性シーラー（７３）が付着しており、ハウジングと段付き部材（３０５）との間の隙間に空気が流入することを防止する空気清浄器を提供する。
【００６０】
前記ファンの排出部（６３）は、後方上部方向に内部ハウジングの内部に空気を排出し、前記内部ハウジングのファン収容部（３０１）の上部には、前記排出部（６３）から空気が流動する断面積が徐々に広くなる形状の流線型拡大ダクト（３８１）が設置された空気清浄器を提供する。
【００６１】
前記ファンの排出部（６３）上部の内部ハウジングの内部には、拡径されたダクトへの空気の拡散を誘導する流動ガイド（３７）が形成された空気清浄器を提供する。
【００６２】
前記流線型拡大ダクト（３８１）の上部には前記ＵＶ  ＬＥＤ基板が離隔して設置され、前記ＵＶ  ＬＥＤ基板は前記流線型拡大ダクトの流線方向に対応して傾斜して設置される空気清浄器を提供する。
【００６３】
前記光触媒フィルター（８０）及び集塵フィルター（９０）は上部ハウジングの高さ部分に対応する内部ハウジングに設置され、内部ハウジングに対して一側方向に引き出し可能に設置されている空気清浄器を提供する。
【００６４】
前記光触媒フィルター（８０）は、触媒部（８１）と、前記触媒部（８１）の周囲を取り囲む弾性バンパー（８２）と、を含む空気清浄器を提供する。
【００６５】
前記内部ハウジングの光触媒フィルター収容部（３６）には、前記光触媒フィルターの両側面の前方一部が露出するように側面の一部が切り取られた空気清浄器を提供する。
【００６６】
前記集塵フィルター（９０）は第２カーボンフィルター（７５）複合型集塵フィルターであってよい。
【００６７】
前記集塵フィルター（９０）は、集塵を行うフィルター部材（９３）と、前記フィルター部材を収容し、前記フィルター部材を内部ハウジングに固定したり、前記フィルター部材を内部ハウジングから引き出したりするフレーム（９１）と、前記フレーム（９１）の前面に形成された取っ手（９２）と、を含む空気清浄器を提供する。
【００６８】
前記第２カーボンフィルター（７５）複合型集塵フィルター（９０）は、有害ガスを吸着し、集塵をするフィルター部材（９３）と、前記フィルター部材を収容し、前記フィルター部材を内部ハウジングに固定したり、前記フィルター部材を内部ハウジングから引き出したりするフレーム（９１）と、前記フレーム（９１）の前面に形成された取っ手（９２）と、を含む空気清浄器を提供する。
【００６９】
前記内部ハウジング内で前記光触媒フィルターが設置された部分より下流に、空気が内部ハウジングから吐出される吐出部（３４）が形成される空気清浄器を提供する。
【００７０】
前記内部ハウジングの上部には、吐出部への空気の流動を誘導する流線型縮小ダクト（３８２）が形成された空気清浄器を提供する。
【００７１】
前記吐出部（３４）の上流には、紫外線が吐出部を介して外部に直接照射されることを防止する紫外線出射防止板（３９）が設置された空気清浄器を提供する。
【００７２】
前記流線型縮小ダクトの上部には、制御ＰＣＢ（５１）を固定するＰＣＢ固定部（３３）が設けられる空気清浄器を提供する。
【００７３】
前記ＰＣＢ固定部（３３）の上部には、前記内部ハウジングの上部に固定された制御ＰＣＢ（５１）及び吐出部を覆う上面ハウジング（４０）が固定され、前記上部ハウジング（１０）が内部ハウジング（３０）の上部に固定された状態で上部ハウジングの上端が上面ハウジングの外側枠の下端と接する空気清浄器を提供する。
【００７４】
前記上面ハウジング（４０）には、吐出部（３４）と連通する吐出グレート（４３）が形成された空気清浄器を提供する。
【００７５】
前記上面ハウジング（４０）には、前記制御ＰＣＢ（５１）のスイッチを押すことができるボタン（４１）が形成される空気清浄器を提供する。
【００７６】
前記制御ＰＣＢ（５１）からファン（６０）及びＵＶ  ＬＥＤ基板（５５）に電源を供給し、制御するために接続する内部電源ケーブルは、前記制御ＰＣＢ（５１）から延びて内部ハウジング（３０）の外面に密着した後、前記ファン収容部（３０１）に形成された内部電源ケーブル貫通孔（３１５）を介して内部ハウジング（３０）の内部空間に入っていく空気清浄器を提供する。
【００７７】
前記内部電源ケーブル貫通孔（３１５）を介して内部ハウジング（３０）の内部空間に延びた内部電源ケーブルは前記ファン（６０）に接続され、内部ハウジングの内部空間に沿ってさらに延びて前記ＵＶ  ＬＥＤ基板（５５）に接続される空気清浄器を提供する。
【００７８】
前記フィルター（８０、９０）は、内部ハウジングに対して前方に引き出し可能に設置され、前記内部電源ケーブル貫通孔（３１５）は、前記内部ハウジングの左側面又は右側面に密着して延びる空気清浄器を提供する。
【００７９】
前記内部電源ケーブル貫通孔（３１５）は、ファン収容部（３０１）の前方上部に形成される。
【００８０】
前記制御ＰＣＢ（５１）には、右側面に向かって露出することによって左側方向にコネクターが嵌められたり、左側面に向かって露出することによって右側方向にコネクターが嵌められたりする入力電源コネクター（５１２）が形成される空気清浄器を提供する。
【００８１】
前記上部ハウジング（１０）は、円筒状の側面部（１１）、及び側面部の下端から内側に延びて形成された段付き部（１２）を含み、前記下部ハウジング（２０）は、前記上部ハウジングより直径が小さい円筒状の側面部（２１１、２２１）、及び前記側面部の上部に形成された段付き部（２１３、２２３）を含み、上部ハウジング（１０）は、下部ハウジング（２０）の下部から下部ハウジング（２０）に外挿された状態で内部ハウジング（３０）の上部に固定される空気清浄器を提供する。
【００８２】
前記段付き部（１２）には通過孔（１３）が形成され、前記段付き部（２１３、２２３）には切り取り部（２１５）が形成され、前記入力電源コネクター（５１２）に接続される外部電源ケーブルは、前記通過孔（１３）と切り取り部（２１５）が互いにマッチされて連通する空間を介して外部に延びる空気清浄器を提供する。
【００８３】
前記上部ハウジング（１０）の内面には、円周方向に傾斜面を有する締結突起部（１４）が形成され、前記内部ハウジング（３０）の上部外面で前記締結突起部（１４）の位置に対応する位置には、突起収容溝（３１６）と、クリック感を与える突起と向かい合い、前記突起収容溝（３１６）の側面に隣り合って形成される突起固定溝（３１７）と、が形成された空気清浄器を提供する。
【００８４】
前記突起収容溝（３１６）は下側に開放された形状で、前記突起固定溝（３１７）は下側が閉鎖されている形状であり、前記上部ハウジングの内面の締結突起部（１４）が前記突起収容溝（３１６）の下方から前記突起収容溝（３１６）に嵌められ、側方に移動し、クリック感を与える突起を乗り越えながら前記突起固定溝（３１７）に嵌められることによって、前記上部ハウジングが前記内部ハウジングに固定される空気清浄器を提供する。
【００８５】
前記下部ハウジングの上部に形成された段付き部（２１３、２２３）には、前記上部ハウジングを下部ハウジングに外挿して上げたり下げたりするとき、前記締結突起部（１４）が通過できる陥没部（２１６）が形成されており、前記陥没部（２１６）は前記突起収容溝（３１６）の直下方に形成された空気清浄器を提供する。
【００８６】
前記外部電源ケーブルの端末には、「¬」字状に曲がった形態の端子が形成された空気清浄器を提供する。
【発明の効果】
【００８７】
本発明の空気清浄器は、小型で、エネルギー消耗が少ないと共に空気清浄能力に優れる。
【００８８】
また、本発明の空気清浄器は、小型でありながらも、集塵及び脱臭のみならず、殺菌効果にも優れる。
【００８９】
また、本発明の空気清浄器は、カップホルダーに嵌めて使用するのに便利な形状及びコンパクトなサイズで構成されることはもちろん、このような外部形状に対応してうまく仕組まれた内部構造を有しているので堅固である。
【００９０】
また、本発明の空気清浄器は、分解構造が簡単で、最小限の分解のみでフィルターを着脱可能な状態になり、維持補修をするのに便利な構造を有しているので、フィルターの維持補修が便利である。
【００９１】
また、本発明は、紫外線が外部に照射されることを防止し、紫外線によって発生し得る弊害をなくした。
【００９２】
また、本発明は、コンパクト且つ複雑な内部構造で効果的な配線位置を提供し、製作、維持補修及び使用が非常に便利である。
【００９３】
また、本発明のハウジング構造によると、外部電源ケーブルの取り替えを容易にし、また、外部電源ケーブルが抜けたり破損したりすることを防止する。
【００９４】
また、本発明の空気清浄器は、光触媒反応による浄化効率を高めると同時に、車両のように稼動と中断を頻繁に行う使用環境でも、光触媒フィルターによって発生し得る不快な臭いが空気清浄器の外側に出ないようにし、ユーザーの満足度を高めることができる。
【００９５】
上述した効果に加えて、本発明の具体的な効果は、以下の発明を実施するための具体的な事項を説明しながら共に記述する。
【図面の簡単な説明】
【００９６】
本発明の上述した目的、他の目的、特徴及び他の利点は、添付の図面と共に下記の詳細な説明からより明確に理解され得る。
【００９７】
【図１】本発明に係る空気清浄器の斜視図である。
【図２】図１の空気清浄器の分解斜視図である。
【図３】図２に示した分解構成を組み立てる状態を示す斜視図である。
【図４】図２に示した分解構成を組み立てる状態を示す斜視図である。
【図５】図２に示した分解構成を組み立てる状態を示す斜視図である。
【図６】本発明の上部ハウジングを上側から見た遠近斜視図である。
【図７】外部ハウジング（上部ハウジング、下部ハウジング及び上面ハウジング）を全て分離し、第１カーボンフィルターを分離した状態の内部ハウジングを多くの方向から見た斜視図である。
【図８】外部ハウジング（上部ハウジング、下部ハウジング及び上面ハウジング）を全て分離し、第１カーボンフィルターを分離した状態の内部ハウジングを多くの方向から見た斜視図である。
【図９】外部ハウジング（上部ハウジング、下部ハウジング及び上面ハウジング）を全て分離し、第１カーボンフィルターを分離した状態の内部ハウジングを多くの方向から見た斜視図である。
【図１０】外部ハウジング（上部ハウジング、下部ハウジング及び上面ハウジング）を全て分離し、第１カーボンフィルターを分離した状態の内部ハウジングを多くの方向から見た斜視図である。
【図１１】上部ハウジング及び前面ハウジングのみを分離した状態の本発明の空気清浄器を示した斜視図である。
【図１２】上面ハウジング、上部ハウジング、後方ハウジング及び右側ハウジングを省略した状態の本発明に係る空気清浄器を示した斜視図である。
【図１３】上面ハウジング、上部ハウジング、下部ハウジング及び右側ハウジングを省略した状態で本発明に係る空気清浄器を側面から見た図である。
【図１４】光触媒フィルター及びＵＶ  ＬＥＤ基板の配置状態を示した斜視図である。
【図１５】光触媒フィルターの平面図である。
【図１６】光触媒フィルターの前面に到逹する紫外線の強さによるアセトアルデヒドの分解率を示したグラフである。
【図１７】紫外線波長による光触媒フィルターの紫外線吸収率を示したグラフである。
【図１８】紫外線波長によるアセトアルデヒドの除去率を示したグラフである。
【図１９】光触媒フィルターの高さ（ｈ）によるアセトアルデヒドの脱臭率の差を示したグラフである。
【図２０】光触媒フィルターの高さ（ｈ）による酢酸の脱臭率の差を示したグラフである。
【図２１】２ｇのＴｉＯ2を１時間にわたって焼結した光触媒フィルターの焼結温度別脱臭性能を示したグラフである。
【図２２】２．５ｇのＴｉＯ2を１時間にわたって焼結した光触媒フィルターの焼結温度別脱臭性能を示したグラフである。
【図２３】２．５ｇのＴｉＯ2を４００℃の焼結温度で焼結時間を異ならせて製作した光触媒フィルターの焼結時間別脱臭性能を示したグラフである。
【図２４】光触媒フィルターにローディングされた光触媒物質の量による光触媒反応効率を示したグラフである。
【発明を実施するための形態】
【００９８】
本発明は、以下で開示する各実施例に限定されるものではなく、互いに異なる多様な形態に具現可能である。但し、本実施例は、本発明の開示を完全にし、通常の知識を有する者に発明の範疇を完全に知らせるために提供されるものである。
【００９９】
また、以下で記述する各実施例のうちのいずれか一つの実施例の構造や構成は、通常の技術者が必要に応じて他の実施例の構造や構成に適用又は置換することもでき、構成を削除したり、他の構成を付加したりすることも可能であることは自明である。
【０１００】
以下、上述した本発明の好適な実施例を添付の図面を参照して具体的に説明する。
【０１０１】
［空気清浄器の外観］
本発明に係る空気清浄器の斜視図である図１を参照すると、本発明に係る空気清浄器は、相対的に直径が大きい上部ハウジング１０と、上部ハウジングより少し小さい直径で構成された下部ハウジング２０と、上部ハウジングの上端に位置する上面ハウジング４０とを含む。
【０１０２】
上面ハウジング４０の中央部には、空気清浄器のオン−オフと、空気清浄器の空気流動量（風の強さ）の調節とを行うためのボタン４１がそれぞれ１個ずつ２個備えられる。また、空気清浄器のオン−オフ状態と、空気流動量（風の強さ）の程度とを肉眼で確認できるランプもそれぞれ１個ずつ２個備えられている。空気清浄器の作動は、例えば、空気清浄器をオン−オフするためにはオン−オフボタンを数秒押し、風の強さを調節するためには風の強さ調節ボタンを１回ずつ押す方式で行わせてよい。
【０１０３】
上面ハウジング４０の一側には、図示したように、浄化された空気が吐出される吐出グレート４３が設置されているので、浄化された空気は吐出グレートを介して通過される。このグレート形状により、大きな異物が外部から内部に入っていくことが防止される。
【０１０４】
上部ハウジング１０は下部ハウジング２０より直径が大きい。上部ハウジングの直径は、車両用カップホルダーの上端部の直径より大きく構成し、空気清浄器を車両用カップホルダーに嵌めて固定する場合、上部ハウジングまでカップホルダーの内側に挿入されることを防止することが好ましい。
【０１０５】
下部ハウジング２０は、前方ハウジング２１及び後方ハウジング２２の２個の分割体からなっており、前方ハウジング２１の上端付近には吸入グレート２１２が形成されている。
【０１０６】
したがって、外部の空気は、前記吸入グレート２１２を介して下部ハウジング２０側に流入し、内部構造によって浄化された後、上面ハウジング４０の吐出グレート４３を介して抜け出るようになる。
【０１０７】
［空気清浄器の構成及び締結構造］
図２は、図１の空気清浄器を分解した状態を示した斜視図で、図３〜図５は、それぞれ図２に示した分解構成を組み立てる状態を示した斜視図である。図２〜図５において、上部ハウジング１０を最も下側に配置させた理由は、上部ハウジングが空気清浄器の下端から上部に向かって締結される構造であるためである。
【０１０８】
図１に示したように、本発明の上部ハウジング１０、下部ハウジング２０及び上面ハウジング４０は空気清浄器の外形をなしており、その内部には、図２に示したように、内部ハウジング３０が設置されている。内部ハウジングは、外部ハウジングである上部ハウジング１０、下部ハウジング２０及び上面ハウジング４０に結合され、外部ハウジングを堅固に固定する。
【０１０９】
内部ハウジング３０は、図示したように、２個の分割体からなっているが、内部ハウジング３０が左側ハウジング３１と右側ハウジング３２とに分割された方向は、下部ハウジング２０が前方ハウジング２１と後方ハウジング２２とに分割された方向と互いに直角をなす。このように、外部ハウジングである下部ハウジング２０と内部ハウジング３０とが互いに異なる分割方向に構成されると、各ハウジングが構造的に互いにより強く結束され得る。
【０１１０】
内部ハウジング３０の上部にはＰＣＢ固定部３３が設けられているが、これは、制御ＰＣＢ５１が内部ハウジングの上端一側に位置する吐出部３４を隠さないようにする位置である。併せて、ＰＣＢ固定部３３の空間は、ＰＣＢ固定部の下部に形成された流線型縮小ダクト３８２によって設けられる。後述するが、内部ハウジング３０の内部で流動する空気を吐出部３４に誘導するために流線型縮小ダクト３８２が内部ハウジングの上端に形成されるが、流線型縮小ダクト３８２によって設けられた空間にＰＣＢ固定部３３を設けることによって、小型空気清浄器の内部空間を効率的に利用することができる。
【０１１１】
ＰＣＢ固定部３３が設けられる内部ハウジング部分の右側には、制御ＰＣＢ５１に外部電源ケーブルが接続され得る経路として外部電源ケーブル貫通孔３２２が形成され、左側には、制御ＰＣＢ５１から後述するファン６０及びＵＶ  ＬＥＤ基板５５に電源を供給するための内部電源ケーブルの接続経路として内部電源ケーブル通過孔３１２が形成されている。
【０１１２】
内部ハウジング３０によって形成される空気の流動ダクト構造内には、図示したように、上部から下部に、まず、集塵フィルター９０と光触媒フィルター８０とが互いに隣接して設置され、その下部には、ＵＶ  ＬＥＤ基板５５が光触媒フィルターと所定距離だけ離隔して固定される。ＵＶ  ＬＥＤ基板上のＵＶ  ＬＥＤは光触媒フィルターに向かって配置されている。
【０１１３】
集塵フィルター９０及び光触媒フィルター８０は空気の流動ダクト構造を完全に遮蔽し、ダクトに流れる空気が必ず光触媒フィルター８０及び集塵フィルター９０を通過するようにする。その一方で、ＵＶ  ＬＥＤ基板５５は、内部ハウジング３０の内壁から内側に突出形成された基板固定部３０３によって内部ハウジング３０の内壁と離隔した状態で設置されることによって、それらの間の空間に空気が流動できるようにした。後述するが、ＵＶ  ＬＥＤ基板５５の中央部には、殺菌効果のために２７５ｎｍのピーク波長を有するＵＶ  ＬＥＤが１個設置され、その周辺には、光触媒フィルターの活性化のために３６５ｎｍのピーク波長を有するＵＶ  ＬＥＤが３個設置される。
【０１１４】
ここで注目すべきことは、集塵フィルター９０及び光触媒フィルター８０が取り替え可能に前方に引き出される構造であるという点にある。これらのフィルターが引き出される方向（前方）と、上述した外部電源ケーブル（右側）及び内部電源ケーブル（左側）の配置方向とが互いに重ならないようにした配置構造により、フィルターを取り替えようとするときにケーブルを分離する必要がない。
【０１１５】
前記集塵フィルター９０は、第２カーボンフィルター７５が一体に形成された第２カーボンフィルター複合型集塵フィルターであってよい。
【０１１６】
内部ハウジング３０の下端部には、ファン６０を収容して固定するファン収容部３０１が設けられており、ファン収容部３０１の左右側面には、それぞれファンによって吸い込まれる空気が流入する空気流入口３０２が形成されている。
【０１１７】
本発明の空気清浄器に使用されるファン６０は、狭い空間でも空気の流動を効率的に発生できる構造を有する。図示したように、ファン６０の中央部には、両側方向に開放された吸入部６１が形成されており、吸入部６１を介して流入する空気は、羽根の回転によって後方上部に形成された排出部６３に強く排出される。
【０１１８】
内部ハウジング３０内の排出部６３の上部には、断面積が狭い排出部から排出される空気の流動を広く分散させるための形状からなる流動ガイド３７が設置されている。これと共に、内部ハウジングの下部には、前記排出部から排出される空気の流動を広く分散させるための他の構成として流線型拡大ダクト３８１が形成されている。上述した流動ガイド３７及び流線型拡大ダクト３８１により、狭い出口から高速で排出される空気の運動エネルギー損失を最小化しながら空気の流れを自然に誘導することができる。
【０１１９】
内部ハウジング３０の下端に形成された空気流入口３０２の周辺は平板状からなり、その上端及び下端には前後に伸びる長さ方向にそれぞれ段付き部材３０５が形成されている。この段付き部材３０５は、空気流入口３０２を覆う第１カーボンフィルター７０と締結された構造である。
【０１２０】
内部ハウジング３０の下端に形成された空気流入口３０２は、図示したように、第１カーボンフィルター７０で覆うようになる。第１カーボンフィルター７０は、第１カーボンフィルターの形態を維持するためのハウジング７１と、ハウジング７１の両側面（空気流入口３０２と向い合う面及びその反対面）の開放された部分に設置されるプリフィルター面７２とを含む。
【０１２１】
プリフィルター面７２は、埃をろ過するプリフィルターとしての機能を有すると共に、ハウジングの内部空間に収容されている活性炭（図示せず）がハウジングの外部に流れ出ることを防止する機能を有する。
【０１２２】
第１カーボンフィルター７０内部の活性炭は、空気中の臭い粒子を吸着することによって脱臭を行う。活性炭は、使用するほど吸着力が低下し、再生も難しい。したがって、本発明では、第１カーボンフィルター７０の取り替えを念頭に置いて着脱構造を構成した。
【０１２３】
上述したように、空気流入口３０２の周辺は平板状であり、その上・下端にはそれぞれ段付き部材３０５が形成されている。また、第１カーボンフィルター７０の幅（第１カーボンフィルターが正方形であるとき、その正方形の一辺の長さ）は、二つの段付き部材の間隔と同じかそれより少し大きい。したがって、別途の締結構造を用いることなく、二つの段付き部材の間に第１カーボンフィルターの上・下端を圧入することによって、第１カーボンフィルターを内部ハウジングの下端左右側にそれぞれ設置することができる。
【０１２４】
第１カーボンフィルターのハウジング７１の周辺には、図示したように、弾性シーラー７３が設置されており、この弾性シーラー７３は、第１カーボンフィルターのハウジング７１と空気流入口３０２周辺の平板との間の隙間に空気が流入することを防止する。
【０１２５】
また、第１カーボンフィルターのハウジングの形状は、図示したように、内部ハウジングと接触する側の面が最も広く、その反対側に行くほど徐々に狭くなる台形断面形状である。このような構造によって形成される第１カーボンフィルターの枠部分の傾斜面の形状は、図４に示したように、内部ハウジング３０と後方ハウジング２２とを締結するためのねじ締結部３０６のラウンド形状と互いに噛み合うようになる。よって、このような構造により、第１カーボンフィルターがねじ締結部と噛み合いながら内部ハウジングの結合面と向かう方向に支持される。
【０１２６】
各ハウジングの締結構造を説明すると、まず、内部ハウジング３０のいずれか一側にファン６０及びＵＶ  ＬＥＤ基板５５が固定された状態で、内部ハウジング３０の二つの分割体をねじなどで締結する。本発明の実施例では、制御ＰＣＢ５１、ファン６０及びＵＶ  ＬＥＤ基板５５を接続する内部電源ケーブルが内部電源ケーブル通過孔３１２を通過しながら左側ハウジング３１に配置され得るので、内部電源ケーブル通過孔３１２が形成された左側ハウジング３１にファン６０及びＵＶ  ＬＥＤ基板５５を固定した後、右側ハウジング３２を覆うことによって内部ハウジングの二つの分割体を締結することが好ましい。
【０１２７】
次に、図４に示したように、制御ＰＣＢ５１を内部ハウジングの上端に設けられた基板固定部３０３にねじなどで固定し、集塵フィルター収容部３５及び光触媒フィルター収容部３６にそれぞれ集塵フィルター９０及び光触媒フィルター８０を嵌め込む。
【０１２８】
そして、図５に示したように、後方ハウジング２２を内部ハウジングの下部にねじで固定した後（図４に示した後方ハウジング内部のねじ締結溝及び内部ハウジングのねじ締結部３０６を参照）、後方ハウジングの前方に前方ハウジング２１を締結することによって下部ハウジング２０を内部ハウジング３０に固定し、内部ハウジング３０の上端に上面ハウジング４０を固定する。
【０１２９】
そして、最後に、図５の状態で下部から上部ハウジング１０を嵌め込み、図１のように上部ハウジングを締結すると組み立てが終了する。
【０１３０】
［空気清浄器のハウジング構造とフィルター取り替え構造との関係］
本発明では、他のハウジングを締結する場合とは異なり、前方ハウジング２１及び上部ハウジング１０を締結するとき、ねじ締結を用いることなく、他の構造によって前方ハウジング及び上部ハウジングを順次堅固に結合することができる。本発明によると、上部ハウジング１０は、別途の工具を用いることなく、図５のような状態に分離可能であり、上部ハウジングの分離後は、前方ハウジング２１も別途の工具を用いることなく分離可能である。
【０１３１】
以下、このような前方ハウジングと上部ハウジングとの締結構造を説明する。
【０１３２】
図６は、本発明の上部ハウジング１０を上側から見た遠近斜視図である。
【０１３３】
上部ハウジング１０は、円筒状の側面部１１、及び側面部の下端から内側に延びて形成された段付き部１２からなる。段付き部１２によって形成される内径は、下部ハウジング２０の直径と同じかそれより少し大きいので、下部ハウジング２０を内部ハウジング３０に結合した状態で上部ハウジング１０が下部ハウジング２０の下端部から下部ハウジングに外挿され、内部ハウジング３０の上部まで上げることができる。
【０１３４】
下部ハウジング２０は、上部ハウジングより小さい直径を有する円筒状の側面部２１１、２２１、側面部の上部に形成された段付き部２１３、２２３、及び段付き部の端部から上方に延びた段付き側面部２１４、２２４を含む。下部ハウジング２０の段付き部２１３、２２３は、上部ハウジング１０が下部ハウジング２０に外挿されて上部に嵌められるとき、上部ハウジング１０の段付き部１２と互いに当接することによって上部ハウジングの上方移動を規制し、このように上部ハウジングが規制される高さで上部ハウジングの上端が上面ハウジング４０と当接するようになる。
【０１３５】
上部ハウジングの内面には、図６に示したように、締結突起部１４及び整列突出部１５が形成されている。そして、前方ハウジング２１の前方段付き部２１３及び前方段付き側面部２１４には、前記締結突起部１４に対応する位置に陥没部２１６が形成されており、後方ハウジング２２の後方段付き部２２３には、前記整列突出部１５に対応する位置に整列溝２２６が形成されている。
【０１３６】
したがって、上部ハウジング１０を下部ハウジング２０に外挿して上げるとき、上述した締結突起部１４及び整列突出部１５がそれぞれ陥没部２１６及び整列溝２２６に整列されたときのみ、上部ハウジング１０が締結位置まで完全に上げられる。
【０１３７】
一方、内部ハウジング３０の側面には、図８に示したように、突起収容溝３１６と突起固定溝３１７とが互いに隣接して形成されているが、突起収容溝３１６及び突起固定溝３１７はいずれも締結突起部１４に対応する形状である。但し、突起収容溝３１６は下側に開放された形状で、突起固定溝３１７は下側が閉鎖されている形状であり、突起収容溝と突起固定溝との間にはクリック感を与える突起が形成されている。
【０１３８】
上述したように、締結突起部１４及び整列突出部１５がそれぞれ陥没部２１６及び整列溝２２６に整列され、上部ハウジング１０を締結位置まで完全に上げると、上部ハウジング１０の内面に形成された締結突起部１４は突起収容溝３１６に収容され、この状態で上部ハウジング１０を回転させることによって、締結突起部１４の傾斜面（図６参照）が突起収容溝と突起固定溝との間のクリック感を与える突起を乗り越えるようにすると、締結突起部１４が突起固定溝３１７に固定され、上部ハウジング１０が完全に固定される。
【０１３９】
すなわち、この状態で、上部ハウジング１０の上方への移動は、上面ハウジング４０及び段付き部２１３、２２３によって規制され、上部ハウジングの回転は、突起固定溝３１７の左右側に形成された突起及び壁によって規制される。併せて、上部ハウジングの下方への移動は、締結突起部１４が閉鎖されている突起固定溝３１７の下部によって規制される。
【０１４０】
このように上部ハウジング１０が固定されると、前方ハウジング２１も上部ハウジング１０及び後方ハウジング２２によって拘束され、特に、上部ハウジング１０が下部ハウジング２０を取り囲む形態で固定されているので、前方ハウジング２１に別途のねじ締結を行わないとしても、前方ハウジング２１も堅固に固定できるようになる。但し、上部ハウジング１０が下部ハウジング２０の上部のみを取り囲んでいるので、前方ハウジング２１の底面が後方ハウジングの底面２２９とスナップ方式などで締結される程度の構造のみを有すると、前方ハウジング２１は固定状態を堅固に維持することができる。
【０１４１】
一方、上部ハウジング１０には通過孔１３が形成されているが、これは、前方ハウジング２１の切り取り部２１５に対応する位置に形成される。通過孔１３のサイズは外部電源ケーブルが通過できる程度になり、切り取り部２１５は、外部電源ケーブルが通過できると共に、上部ハウジングの締結突起部１４が突起収容溝と突起固定溝との間を回転する角度だけさらに切り取られている。
【０１４２】
図５に示したように、切り取り部２１５は、下部ハウジング２０が内部ハウジング３０に締結された状態で右側ハウジング３２側に位置するようになる。これは、外部電源ケーブルの移動経路を確保するためのものであり、外部電源ケーブルは、右側ハウジング３２の外部電源ケーブル貫通孔３２２を介して制御ＰＣＢ５１の入力電源コネクター５１２に接続された後、右側ハウジング３２と上部ハウジング１０との間の空間を介して通過孔１３及び切り取り部２１５を通過して外部に延びてよい。
【０１４３】
入力電源コネクター５１２は、外部電源ケーブルの端子（図示せず）が嵌められるソケット類からなってよい。端子及びソケット構造を適用した理由は、外部電源ケーブルの取り替えを容易にするためである。例えば、車両で本発明の空気清浄器を使用するときはシガージャックの１２Ｖ直流電源を使用するが、家庭や事務室で本発明の空気清浄器を使用するときは２２０Ｖの交流電源を使用しなければならないので、外部電源ケーブルを取り替える蓋然性が十分であり、よって、端子及びソケット構造で外部電源ケーブルを制御ＰＣＢ５１に接続することが好ましい。
【０１４４】
ここで注目すべき点は、端子が嵌められる方向と外部電源ケーブルの引き出し方向とが互いに垂直をなすということである。すなわち、外部電源ケーブルの端子が嵌められる方向は直径方向で、外部電源ケーブルが引き出される方向は下側方向であるので、例えば、外部電源ケーブルの端子が「¬」字状であると、上部ハウジング１０の内面がこの端子を端子の接続方向に支持する形態になり、外部電源ケーブルが外側から引っ張られるとしても、外部電源ケーブルが抜けることを防止することができる。
【０１４５】
上部ハウジングと前方ハウジングとの締結構造を上記のように構成した理由は、空気清浄器の集塵フィルター９０を取り替えるとき、何ら工具も用いることなく、上部ハウジングのみを分離するだけで集塵フィルターの取り替えを可能にするためである。すなわち、上記の締結方式の逆順に、上部ハウジングを反対に回転させ、締結突起部１４が突起固定溝３１７からクリック感を与える突起を乗り越えることによって抜け出て突起収容溝３１６に戻るようにした状態で、上部ハウジングを下側に分離すると図５のような状態になるが、この状態では、図示したように、集塵フィルター９０の挿入部が露出している。したがって、単純に上部ハウジングを分離するだけでも、集塵フィルター９０を容易に取り替えることができる。
【０１４６】
集塵フィルター９０の取っ手９２を引っ張ると、図１０に示したように、集塵フィルターを抜き出すことができ、集塵フィルターを抜き出した状態でフレーム９１内のフィルター部材９３のみを取り替えればよい。
【０１４７】
併せて、上述したように、上部ハウジングを分離した後は、何らかの工具も用いることなく、前方ハウジング２１を後方ハウジングから分離できるので、図１１に示したように、前方ハウジングを分離することによって露出する内部ハウジング３０部分を通じて光触媒フィルター８０と第１カーボンフィルター７０を交換することも可能である。
【０１４８】
図７〜図１０は、外部ハウジング（上部ハウジング、下部ハウジング及び上面ハウジング）を全て分離し、第１カーボンフィルターを分離した状態の内部ハウジングを多くの方向から見た斜視図で、図１１は、上部ハウジング及び前面ハウジングのみを分離した状態の本発明の空気清浄器を示した斜視図である。
【０１４９】
本発明の空気清浄器の内部ハウジングを説明すると、内部ハウジングは、その前方に集塵フィルター９０、光触媒フィルター８０及び第１カーボンフィルター７０を全て挿入したり引き出したりすることができる構造を有している。したがって、上部ハウジング１０を分離した後は、内部ハウジングの前面に露出した集塵フィルター９０の取っ手９２を引っ張ることによって集塵フィルターを取り替えることができ、前方ハウジング２１を分離した後は、内部ハウジングの前面に露出した光触媒フィルターを抜き出すことができる。
【０１５０】
光触媒フィルターの触媒部８１は、図１４及び図１５に示したように、格子状のセラミック基体にＴｉＯ2を焼結させることによって製作されるので、硬度及び脆性がいずれも大きい。したがって、図示したように、触媒部８１の周囲を弾性バンパー８２で取り囲み、触媒部を衝撃から保護し、触媒部と内部ハウジング３０とをうまく密着させる。
【０１５１】
ＴｉＯ2コーティング光触媒フィルターは、時間の経過と共にその表面に異物が付着し、光触媒効率が低下するという問題を有するが、価格が高いという点で取り替えが負担なフィルターであるので、フィルターの再生と関連する技術が持続的に開発されている。したがって、光触媒フィルターは、交換や再生のための脱着構造が必要である。しかし、上述したように、光触媒フィルターは、触媒部８１の周辺を弾性バンパー８２で取り囲んだ形態からなっているので、集塵フィルターのように内部ハウジング３０に着脱するための取っ手を形成することが煩雑な面がある。そこで、本発明では、図７〜図１１に示したように、内部ハウジング３０の前面部のみを開放した形態ではなく、前面部と連通しながらその側面の一部を切り取ることによって、内部ハウジング３０に嵌められた光触媒フィルター８０の前面はもちろん、側面の一部を共に露出させた。このような内部ハウジングの形態により、光触媒フィルターの両側面を手で把持できるので、光触媒フィルターを引き出すことが容易である。
【０１５２】
［空気清浄器の電気的接続構造］
図８を参照すると、本発明に係る空気清浄器の左側ハウジング３１の表面には、図示したように、内部電源ケーブル通過孔３１２、内部電源ケーブル通過溝３１３及び内部電源ケーブル案内溝３１４が形成されている。そして、内部ハウジングのファン収容部３０１の前方上部には内部電源ケーブル貫通孔３１５が形成されている。
【０１５３】
したがって、ファン６０及びＵＶ  ＬＥＤ基板５５に電源を供給するために制御ＰＣＢ５１に接続される内部電源ケーブルは、ＰＣＢ固定部３３に固定された制御ＰＣＢ５１から内部ハウジングの外面に沿って内部電源ケーブル通過孔３１２、内部電源ケーブル通過溝３１３及び内部電源ケーブル案内溝３１４を順次経て内部電源ケーブル貫通孔３１５を貫通することによって内部ハウジングの内部空間に入るようになり、内部空間に入った内部電源ケーブルは、内部ハウジングの下端に設置されたファン６０に接続され、さらに延びてＵＶ  ＬＥＤ基板５５に接続される。本発明の空気清浄器は、外部空間から内部空間へのゲートウェイであるファン収容部３０１に形成された内部電源ケーブル貫通孔３１５を介して内部電源ケーブルが貫通して内部ハウジングの内部空間に入ることによって、内部ハウジングの気密を維持し、ファンによる空気流動加速効率をさらに高めた（内部ハウジングの他の部分を穿孔し、その部分を介して内部電源ケーブルを内部ハウジングの内部に挿入する場合、穿孔された部分と内部電源ケーブルとの隙間を介して内部に流動していた空気の一部が流出し得る）。
【０１５４】
ここで、制御ＰＣＢ５１と隣接した内部ハウジング３０の吐出部３４を介して内部電源ケーブルが内部ハウジングの内部に容易に挿入できるように見えるが、内部ハウジングの空気流動経路が集塵フィルター９０及び光触媒フィルター８０によって遮断されているので、このような経路は不可能である（このような経路にケーブルを配置する場合、ケーブルの周辺に内部空気がバイパスされ、フィルターによる空気清浄効率が低下する可能性がある）。また、上述したように、内部ハウジングの前方を介して各フィルターを取り替えなければならない。したがって、本発明では、内部電源ケーブルが内部ハウジングの一側面を介して上記のような経路で接続されるようにした。
【０１５５】
図１０に示したように、内部電源ケーブル通過孔３１２及び外部電源ケーブル貫通孔３２２は、フィルターの引き出し方向を避けて両側面に形成されているので、図９に点線で示したように、内部電源ケーブル及び外部電源ケーブルがそれぞれ内部ハウジングの左側面及び右側面の経路で接続されるようにした構造は、非常に小さく、且つ、その前面を介したフィルターの着脱構造を備えなければならない本発明の空気清浄器の内部空間活用効率を大きく高め、本発明の空気清浄器をさらにコンパクトに構成できるようにする。
【０１５６】
［空気清浄器の流動経路］
図１２は、上面ハウジング、上部ハウジング、後方ハウジング及び右側ハウジングを省略した状態の本発明に係る空気清浄器を示した斜視図で、図１３は、上面ハウジング、上部ハウジング、下部ハウジング及び右側ハウジングを省略した状態で本発明に係る空気清浄器を側面から見た図である。
【０１５７】
本発明に係る空気清浄器の流動経路を説明すると、ファンによって発生する陰圧によって前方ハウジングの吸入グレート２１２を介して吸入された空気は、下部ハウジングと内部ハウジングとの間の空間を経て内部ハウジング３０の下端両側面の第１カーボンフィルター７０及び空気流入口３０２を介してファン６０の吸入部６１に吸入される。続いて、ファンによって排出部６３から上向きに排出される空気は、流動ガイド３７及び流線型拡大ダクト３８１によって拡径されたダクト構造に均一に分散されて上部に移動する。
【０１５８】
流動ガイド３７は、上方に上がるほど流線形に前方に向かって傾斜し、ＵＶ  ＬＥＤ基板５５も、基板上のＵＶ  ＬＥＤの照射方向が光触媒フィルターから大きく逸脱しない限度内で前方に行くほど少し上向きに傾斜した状態で設置される。また、図１３及び図２から確認できるように、基板の周囲は、いずれも内部ハウジングによって形成される空気流動ダクトに対して離隔して配置され、空気の流れを自然に誘導することによって、空気の流動エネルギー損失を減少させた。
【０１５９】
図１２及び図１３を参照すると、流線型拡大ダクト３８１は、空気流動で上部に上がるほど前方に向かって徐々に拡径される構造である。これは、逆に言えば、吸入グレート２１２を介して外部から下部ハウジング２０の内部に流入した空気も、内部ハウジング３０の下端の空気流入口３０２に下向きに移動しながら流線型拡大ダクト３８１によって拡大された流動経路を有するようになることを意味する。すなわち、流線型拡大ダクト３８１は、内部ハウジング内の空気流動経路の断面積を拡大させるだけでなく、下部ハウジング２０と内部ハウジング３０との間の空間でも空気流動経路の断面積を拡大させる機能をする。このような本発明の空気流動構造及びダクト構造は、空気流動損失を最小化しながらも空気清浄器をコンパクトに構成できるようにする。
【０１６０】
次に、ファンによって上昇する空気は、上述した構成によって流動が案内され、光触媒フィルター８０に形成された多数の貫通孔を通過した後、集塵フィルター９０を通過するようになる。
【０１６１】
ここで注目すべき部分は、ＵＶ  ＬＥＤ基板５５が、相対的に小径の下部ハウジング２０の高さに対応する内部ハウジングの下部に配置されており、光触媒フィルター８０及び集塵フィルター９０が、上部ハウジング１０の高さに対応する内部ハウジングの上部に配置されていることにある。すなわち、内部ハウジングも、下部ハウジングと上部ハウジングとの間の段付き部高さで拡径されるが、相対的に小さく構成できると共に、光触媒フィルターとは一定程度離隔して配置されなければならないＵＶ  ＬＥＤ基板５５を内部ハウジングの小径部に配置し、空気と接触する面積を最大限確保するために少し大きく製作されなければならない光触媒フィルターを内部ハウジングの拡径部に配置し、空気圧力降下が多く起こる集塵フィルターも、空気が通過するフィルターの断面積をより大きくするために内部ハウジングの拡径部に配置した本発明の構造は、製品をコンパクトに構成しながらも空気清浄効率を大きく高めることができる構造であることが分かる。
【０１６２】
各フィルター８０、９０を通過した空気は、再び流線型縮小ダクト３８２によって狭くなった吐出部３４に案内されて外部に排出される。
【０１６３】
流線型縮小ダクト３８２は、空気流動の断面積を減少させながらも空気の流動損失を減少できるように流線形に形成されており、このような形状によって設けられる流線型縮小ダクトの上部空間はＰＣＢ固定部３３として活用することができる。ＰＣＢ固定部３３には制御ＰＣＢが固定され、空気清浄器の上面から製品の作動状態を確認して操作できるようになる。カップホルダーに固定して使用することを念頭に置いた本発明の空気清浄器の使用ボタンが上面にあることと、空気の吐出方向も空気清浄器の上面から上部に向かっていることは、本発明の使用状態に最もよく符合すると言える。また、流線型縮小ダクト構造は、空気の流動損失を減少させ、空気の流れを狭い吐出部に誘導しながらも制御ＰＣＢ５１が形成され得る空間を確保し、製品をさらにコンパクトに構成することができる。
【０１６４】
一方、吐出部３４の下部には、ＵＶ  ＬＥＤ基板から照射する紫外線が吐出部を介して外部に直接照射されることを防止するために紫外線出射防止板３９が形成されており、ユーザーが紫外線の有害性に対して疑いを有することを未然に防止することができる。
【０１６５】
本発明の空気清浄器で空気が吸入される位置及び方向は、下部ハウジング２０の上端（上部ハウジング及び下部ハウジングの段付き部の下部分）から前面に向かっており、空気が排出される位置及び方向は、上面ハウジング４０の上面から上部に向かっている。このように吸入口と排出口が互いに遠く異なる方向に向かって配置された構造は、浄化されて排出された空気が吸入口に再び流入することを防止する。
【０１６６】
また、光触媒フィルターによって分解されるアセトアルデヒド及び酢酸が空気より重くて沈む点を勘案すると、空気吸入口が下部ハウジングに位置するときに空気清浄効率をさらに高めることができる。
【０１６７】
併せて、本発明は、カップホルダーに固定して使用することを念頭に置いたものであるので、下部ハウジングの上端に吸入グレート２１２を形成することによって浄化する空気を吸入させ、下部ハウジング２０と内部ハウジング３０との間の狭小な空間に空気の流動損失を最小化するために流線型拡大ダクト３８１を形成し、内部ハウジングの下部の両側には、内部ハウジングの内部に入っていく通路として空気流入口３０２を流線型拡大ダクトの拡大方向と垂直方向に置き、内部ハウジングの内部でも再び流線型拡大ダクトによって空気流動断面積を確保したという点で、空気清浄器のサイズ及び使用状態に最適な空気流動経路を実現したと言える。
【０１６８】
［空気清浄器のフィルター配置］
本発明の空気清浄器の空気移動経路によるフィルターの配置順序によると、まず、空気がプリフィルター及び活性炭からなる第１カーボンフィルター７０を通過することによって、空気中の大きな粒子の埃がプリフィルターによってろ過され、アンモニア（ＮＨ4）及び酢酸（ＣＨ3ＣＯＯＨ）などの有害物質が活性炭に吸着・除去され、光触媒フィルター８０の光触媒反応を通じてアセトアルデヒド（ＣＨ3ＣＨＯ）が分解され、再び活性炭が埋め込まれている不織布や繊維フィルターなどからなる第２カーボンフィルター複合型集塵フィルター９０を介して臭いを起こす有害ガスが吸着し、微細埃がろ過された後で排出される。
【０１６９】
プリフィルターは、予め大きな埃をろ過し、後方にある光触媒フィルターの表面に埃などの異物が付着することによって光触媒フィルターの効率が低下することを防止する。また、光触媒反応の競争でアンモニア及び酢酸より遅く反応するアセトアルデヒドの分解効率を高めるために、本発明では、まず、アセトアルデヒドより競争反応で優れたアンモニア及び酢酸を吸着させた後（アセトアルデヒドは活性炭にうまく吸着しない）、光触媒競争反応でアセトアルデヒドより優れた他のガスの濃度を稀薄にした状態で光触媒反応を起こすことによって、アセトアルデヒドが早期に光触媒反応を通じて分解できるようにする。
【０１７０】
本発明によると、光触媒フィルターの前方及び後方に全てカーボンフィルターを設置したことが主な特徴の一つである。光触媒フィルターの前方にカーボンフィルターを配置させた理由は、上述した通りである。一方、光触媒フィルターの後方にカーボンフィルターを配置させた理由は、以上で簡略に言及したように、光触媒フィルターの稼動初期に発生する臭いのためである。
【０１７１】
光触媒フィルター及び光源が設置された空気清浄器を数時間稼働させていない状態で稼動を開始すると、空気清浄器から吹き出る空気から不快な臭いが発生する。このように臭いが発生する原因を確認するために様々な実験を行った結果、光触媒フィルターが備えられた空気清浄器で稼動初期に吹き出る不快な臭いは、光触媒フィルターの基体で表れる臭いでもなく、基体の種類に応じて臭いの発生有無が決定されるのでもなく、光触媒コーティングを行うときに使用する添加剤（分散剤）の有無や種類がこのような臭い発生の原因になるのでもないことを確認した。
【０１７２】
また、基体にローディングした光触媒物質（ＴｉＯ2）の量が少ないほど、稼動初期の臭いの発生量も少なくなることを確認した。
【０１７３】
併せて、光触媒フィルターに紫外線光源が照射されない時間が長くなるほど、再び空気清浄器を稼動する場合に臭いがさらに激しくなることを確認した。また、空気清浄器を再び稼動することによって初期に臭いが発生するとしても、稼動時間が経過すると臭いが再び消えることを確認した。
【０１７４】
このような事実から類推できる光触媒フィルターで臭いが発生する原因を類推すると、光触媒を活性化させるエネルギーを提供する光源がオフになった状態で長時間光触媒フィルターを放置する場合、光触媒フィルターにコーティングされた光触媒物質に臭いの原因になる気体が吸着して積もり、このような状態で空気清浄器の電源をオンにする場合、ファンによって流動する空気と共に、光触媒物質に吸着している臭い原因気体が分離されながら流動し、空気清浄器の稼動初期に臭いが発生すると類推できた。
【０１７５】
実験の結果、光触媒フィルターの後方に活性炭を置く場合、活性炭が上記のように光触媒物質に吸着してから分離された気体を吸着し、空気清浄器の稼動初期に発生する臭いを除去できることを確認した。すなわち、稼動初期に光触媒フィルターに吸着してから分離される臭い原因ガスは、活性炭によってうまく吸着する気体であることを確認できた。
【０１７６】
そのため、本発明は、空気を浄化する経路に単純に一つのカーボンフィルターを配置するのではなく、光触媒フィルターの前方及び後方に全てカーボンフィルターを配置した。したがって、同一のカーボンフィルターであるとしても、光触媒フィルターの前方にあるカーボンフィルター及び後方にあるカーボンフィルターの役割はそれぞれ異なる。
【０１７７】
すなわち、光触媒フィルターの前方にあるカーボンフィルターは、光触媒フィルターで競争反応が遅れるガスの分解を促進するために光触媒フィルターで競争反応に優れたガスを予め吸着する機能をする構成であり、光触媒フィルターの後方にあるカーボンフィルターは、光源を照射しない状態で光触媒フィルターを長期間放置した場合、光触媒フィルターに吸着していたガスが空気清浄器の外側に抜け出ないようにガスを吸着する機能をする構成である。
【０１７８】
したがって、光触媒フィルターの前方及び後方にそれぞれ配置されるカーボンフィルターと同一量のカーボンフィルターを光触媒フィルターの前方又は後方にのみ置くよりは、光触媒フィルターの前方及び後方にカーボンフィルターを分けて配置することが、光触媒フィルターの光触媒浄化効率をさらに高め、光触媒フィルターの初期稼動時に発生する臭いを予防する方案になる。
【０１７９】
一方、上述したように、基体にローディングした光触媒物質の量が少ないほど、空気清浄器の稼動初期の臭いの発生量が少なくなる。その一方で、基体にローディングした光触媒物質の量が多いほど光触媒反応効率は増加するが、光触媒物質の量が一定程度多くなった後は、光触媒反応効率がこれ以上増加しない。
【０１８０】
これは、光触媒反応の原理と光触媒物質に基体が吸着する原理とが異なるためである。すなわち、光触媒反応は、主に紫外線が照射される領域の表面でのみ起こるので、光触媒物質の量が一定程度以上になると、紫外線が照射される領域がこれ以上増加しないので、光触媒反応効率がさらに上昇しない。その一方で、紫外線が照射されない間、光触媒物質に吸着するガスは、光触媒物質の表面にのみ吸着するのではなく、一定程度の深さまで吸着し得るので、光触媒物質のローディング量が増加するほど、空気清浄器の稼動初期の臭いの発生量も増加する。
【０１８１】
したがって、空気清浄器の稼動初期の臭い発生量を最大限減少させながらも、光触媒フィルターの光触媒反応効率を高めるためには、光触媒物質の量が増加するとしても、光触媒反応効率がこれ以上良くならない時点の量だけ光触媒物質をローディングしなければならない。例えば、光触媒フィルターにローディングされた光触媒物質の量による光触媒反応効率を示した図２４のグラフから確認できるように、１．５ｇの光触媒物質をローディングすることは、光触媒反応効率を最も高くした状態で、空気清浄器の稼動初期の臭い発生量を最小化する方案である。
【０１８２】
一方、カーボンフィルターは活性炭を含むが、空気の流動に沿って活性炭の微細粒子が空気清浄器の外部に排出される可能性を排除できないので、これを防止する構成が必要である。特に、第１カーボンフィルター７０及び第２カーボンフィルター７５のうちの少なくともいずれか一つのカーボンフィルターが粒状活性炭を含む場合は、活性炭が外部に排出されることを防止する構成がさらに要求される。
【０１８３】
このために、本発明において、第２カーボンフィルター７５は、粒状活性炭が埋め込められた不織布の形態で構成してもよく、パルプ型活性炭で構成してもよい。不織布やパルプは、活性炭粒子が外部に排出されることを防止するのに十分であるので、本発明では、このようなフィルター構造を少なくとも第２カーボンフィルターの後方に置いてよく、よりコンパクトな構成のために第２カーボンフィルター自体を不織布やパルプの形態にしてよい。
【０１８４】
また、空気清浄器に集塵フィルターを設置しようとする場合、集塵フィルターは、第２カーボンフィルターと一体に形成された形態にしてもよく、第２カーボンフィルターの後方に配置させてもよい。もちろん、第２カーボンフィルター複合型集塵フィルターを使用すると、よりコンパクトな空気清浄器の構成が可能である。
【０１８５】
本発明によると、集塵フィルターが第２カーボンフィルターと一体になったり、その後方に位置したりすることによって、カーボンフィルターの活性炭粒子の外部排出を防止すると同時に、圧力降下が最も多く起こる集塵フィルターを光触媒フィルターの後方に置く結果となり、光触媒フィルターと接触する空気流動の圧力を高め、光触媒フィルターと空気との接触効率をさらに高めたという点に注目する必要がある。
【０１８６】
また、本発明において、光触媒フィルターの前方に光触媒用ＵＶ  ＬＥＤ５７を配置し、光触媒フィルターの前方から紫外線を照射させたことは、光触媒フィルターを通過して空気の圧力降下が発生する前に光触媒フィルターの前面表面から光触媒反応を起こすことによって、光触媒フィルターの有害ガス分解効率をさらに高めたという点で意味を有する。さらに、このような配置は、光触媒フィルターの後方に第２カーボンフィルター複合型集塵フィルターを直ぐ密着させて配置できるようにするので、空気清浄器をさらにコンパクトに構成することができる。併せて、本発明のＵＶ  ＬＥＤ基板５５には殺菌用ＵＶ  ＬＥＤ５６が共に設置されており、殺菌用紫外線を光触媒フィルターの後方に直ぐ接して設置される集塵フィルターに照射させ、フィルター部材９３によってろ過された微生物やウイルスを殺菌できるので、単純に流動する空気中に紫外線を照射させる場合に比べて殺菌効率に優れる。さらに、光触媒用ＵＶ  ＬＥＤ及び殺菌用ＵＶ  ＬＥＤを一つの基板に設置し、構成まで単純にした。しかし、必要に応じては、光触媒用ＵＶ  ＬＥＤ及び殺菌用ＵＶ  ＬＥＤを別途の基板に設置し、光触媒用ＵＶ  ＬＥＤ及び殺菌用ＵＶ  ＬＥＤの紫外線の照射方向が互いに異なる方向、例えば、互いに向い合う方向になるように設置することも可能であることは当然である。特に、殺菌用ＵＶ  ＬＥＤから照射される紫外線が人体に照射される場合に有害であり得るので、殺菌が効率的に起こる方向及び紫外線が外部に漏れない方向を全て考慮して殺菌用ＵＶ  ＬＥＤを配置する必要がある。
【０１８７】
一方、光触媒フィルターとＵＶ  ＬＥＤ基板との間の内部ハウジングの内面に紫外線反射板（図示せず）を設置すると、内部ハウジングの内面に照射される紫外線が再び光触媒フィルターに向かって照射できるようになり、脱臭及び殺菌効率をさらに高めることができる。
【０１８８】
［光触媒フィルターとＵＶ  ＬＥＤとの関係］
図１４は、光触媒フィルター及びＵＶ  ＬＥＤ基板の配置状態を示した斜視図で、図１５は、光触媒フィルターの平面図である。
【０１８９】
図１４を参照すると、ＵＶ  ＬＥＤ基板５５上の中央部分には殺菌用ＵＶ  ＬＥＤ５６が設置されており、その周囲に３個の光触媒用ＵＶ  ＬＥＤ５７が設置されている。特に、光触媒用ＵＶ  ＬＥＤ５７は、光触媒フィルター８０に向かって紫外線を照射するようになる。
【０１９０】
光触媒フィルター８０は、図１５に示したように、碁盤の格子柄を有するセラミック多孔体にＴｉＯ2（Ｔｉｔａｎｉｕｍ  Ｄｉｏｘｉｄｅ）を被せて焼結させた触媒部８１と、前記触媒部の側面を取り囲む弾性バンパー８２とからなる。
【０１９１】
触媒部の前面と光触媒用ＵＶ  ＬＥＤ５７との間の距離は、ＵＶ  ＬＥＤ基板と光触媒フィルターとの間の距離による空気の流動特性変化、及び光触媒に到逹する紫外線の面積及び強さによって変わることを予想して実験した結果、正方形の光触媒フィルターの一辺の長さ（ｌ）が５．５ｃｍであるとき、光源５７と触媒部８１の前面との間の距離が２．５ｃｍだけ離隔した場合に脱臭効率に最も優れ、その距離が２ｃｍ以下に減少したり、３ｃｍ以上に増加したりした場合に脱臭効率が急激に低下することを確認できた。
【０１９２】
光源と触媒部の前面との間の距離が２ｃｍ以下であって過度に近いと、光触媒フィルターの面積のうち、紫外線が照射される光触媒フィルターの面積が減少する一方、光触媒フィルターの単位面積当たりの紫外線の強さが強くなっても光触媒活性化効率がこれ以上増加しない状態（ｓａｔｕｒａｔｉｏｎ、図１６と関連して後述する紫外線の強さと関連する実験参照）になる。併せて、ＵＶ  ＬＥＤ基板５５が光触媒フィルターと過度に近い場合、紫外線が主に照射される光触媒フィルターの中間領域では空気流動がうまく行われないので、活性化が最もうまく行われる領域において光触媒フィルターと接触する空気の量がより少なくなる。
【０１９３】
また、光源と触媒部の前面との間の距離が３ｃｍ以上であって過度に遠いと、光触媒フィルターの単位面積当たりの紫外線の強さが減少する。その結果、光触媒活性化程度が低下し、遠い距離間で流動する空気の流れが安定化され、層流（ｌａｍｉｎａｒ  ｆｌｏｗ）のように挙動し、光触媒フィルターの表面と接する空気の量自体が減少する。
【０１９４】
一方、フィルターの一辺の長さ（ｌ）が４ｃｍ以上７ｃｍ以下である場合に脱臭効率が良い。フィルターの一辺の長さが４ｃｍ以下に短くなると、紫外線が照射される領域にフィルターが全て存在しないので、紫外線の浪費をもたらす結果となる。その一方で、フィルターの一辺の長さが７ｃｍ以上である場合は、紫外線が照射されないフィルター領域が存在し、フィルター素材の浪費をもたらす。
【０１９５】
次に、ＵＶ  ＬＥＤ５７に供給される電源の場合、電圧が５Ｖ以下であるか、電流が２００ｍＡ以下である場合は、発光量が著しく減少し、ＵＶ  ＬＥＤを追加しなければならない問題が発生する。また、電圧が１５Ｖ以上であるか、電流が３００ｍＡ以上である場合は、供給電源を高めるとしても発光量はほとんど増加しないことを確認した。
【０１９６】
一方、本発明の発明者は、触媒部８１に形成された格子の形状、各セル８３の離隔間隔（ｇ）、格子のフレームの厚さ（ｔ）、触媒部の一辺の長さ（ｌ）、触媒部のセルの個数（ｎ）、触媒部の高さ（ｈ）、空気の流動方向（正方向、逆方向）、触媒部の焼結温度及び焼結時間、光触媒用ＵＶ  ＬＥＤ５７のピーク波長、触媒部の前面に照射される紫外線の強さによって光触媒フィルターの脱臭性能が変わることを確認した。
【０１９７】
図１６は、光触媒フィルターの前面に到逹する紫外線の強さによるアセトアルデヒドの分解率を示したグラフである。
【０１９８】
まず、触媒部の前面に照射される紫外線の強さによって光触媒の脱臭性能がどのように変化するのかを繰り返して測定した。測定の結果、光触媒表面の単位面積当たりの紫外線の強さが１４．６７ｍＷ／ｃｍ2であるときまでは、紫外線の強さが増加するほど光触媒の脱臭効率が増加することを確認したが、それ以上に増加するときはこれ以上脱臭効率が上昇しないことを確認できた。特に、このような傾向は、上述したセル８３の離隔間隔（ｇ）、格子のフレームの厚さ（ｔ）、触媒部の一辺の長さ（ｌ）、触媒部のセルの個数（ｎ）、触媒部の高さ（ｈ）、触媒部の焼結温度及び焼結時間とは関係なく一貫していた。
【０１９９】
また、繰り返して実験した結果、光触媒表面の単位面積当たりの紫外線の強さが１０ｍＷ／ｃｍ2より低い場合は、光量の不足によって光触媒反応による脱臭効率が急激に減少し、光触媒表面の単位面積当たりの紫外線の強さが２０ｍＷ／ｃｍ2より高い場合は、紫外線の強さを高めるために消耗される電気エネルギーが増加するだけで、光触媒活性化による脱臭効率はほとんど増加しなかった。
【０２００】
図１７は、紫外線波長による光触媒フィルターの紫外線吸収率を示したグラフで、図１８は、紫外線波長によるアセトアルデヒドの除去率を示したグラフである。
【０２０１】
紫外線波長による光触媒フィルターの紫外線吸収率は、図１７に示したように、２７０ｎｍ付近の波長を最もうまく吸収し、４００ｎｍに行くほど吸収率が線形的に低下することが分かる。しかし、実際にＵＶ  ＬＥＤを使用するとき、最も優れた光触媒効率で活性化されるピーク波長のＵＶ  ＬＥＤは３６５ｎｍであることを確認できた。これはＵＶ  ＬＥＤの発光効率のためであるが、ピーク波長が小さいＵＶ  ＬＥＤであるほど素子の発光量が急激に低下するので、低いピーク波長を有するＵＶ  ＬＥＤを使用して光触媒フィルターの表面で必要な適正な紫外線強さを合わせるためには多数のＵＶ  ＬＥＤを使用しなければならない。しかし、空気の流動のために基板のサイズを増加させるのにも限界があり、費用自体が急激に増加するようになる。これを念頭に置いて実験した結果、３４０ｎｍ以下のピーク波長を有するＵＶ  ＬＥＤを使用すると、光触媒フィルターによる脱臭効率が急激に低下することを確認できた。
【０２０２】
また、３８０ｎｍ以上のピーク波長を有するＵＶ  ＬＥＤを使用するときは、光触媒の紫外線吸収率自体が大きく低下し、ＵＶ  ＬＥＤと既存のブラックライトとの差がなくなるので、ＵＶ  ＬＥＤを使用する大きな意味がなくなる。
【０２０３】
実験の結果、ピーク波長が３６０ｎｍ以上３７０ｎｍ以下であるＵＶ  ＬＥＤを使用したとき、光触媒フィルターによる脱臭性能を最も高められることを確認できた。
【０２０４】
図１９は、光触媒フィルターの高さ（ｈ）によるアセトアルデヒドの脱臭率の差を示したグラフで、図２０は、光触媒フィルターの高さ（ｈ）による酢酸の脱臭率の差を示したグラフである。
【０２０５】
実験の結果から確認した事実は、図１５のような形状の光触媒フィルターの場合、光触媒フィルターのフレームの厚さ（ｔ）によって増加する前面の光触媒表面の面積は光触媒フィルターの脱臭効率にほとんど影響を及ぼさなく、光触媒フィルターの高さ（深さ）が内部空気流動路の内壁の面積に影響を及ぼし、空気との接触面積に直接的な影響を及ぼすことである。
【０２０６】
したがって、フィルターの高さが５ｍｍ〜１０ｍｍである場合、光触媒フィルターの脱臭効率が最も良いことを確認できた。併せて、フィルターの高さが２ｍｍ以下に薄くなると、光触媒フィルター自体の強度が弱くなって使用しにくい。また、フィルターの高さが１５ｍｍ以上である場合は、空気抵抗のみが激しくなり、紫外線が到逹できないか、その強さが非常に弱くなり、その結果、脱臭効率は高くならない状態で費用のみが増加する原因になる。
【０２０７】
また、セル８３の内部離隔間隔（ｇ）が２ｍｍであるとき、空気抵抗が増加しないと共に、フィルターの形状自体が、紫外線がフィルターの内部に照射される紫外線を遮り、陰影の発生程度が大きくないので、紫外線が照射されるセル内部面積が最も適切であることを確認できた。内部離隔間隔が１ｍｍ以下に狭くなる場合は、空気抵抗が高くなり、内壁に到逹する紫外線の量が減少するので、脱臭効率が低下し、また、内部離隔間隔が４ｍｍ以上である場合は、セルの稠密度が過度に低く、内壁の面積自体が大きく減少するので、脱臭効率が低下することを確認できた。
【０２０８】
これをセルの密度観点で説明すると、セルの稠密度が３０ｃｅｌｌ／ｉｎｃｈ2より低い場合は、内部離隔間隔が４ｍｍ以上に大きくなり、内壁の面積自体が大きく減少するので、脱臭効率が低下し、また、セルの稠密度が２６０ｃｅｌｌ／ｉｎｃｈ2以上である場合は、内部離隔間隔が１ｍｍ以下に狭くなり、空気抵抗が高くなり、内壁に到逹する紫外線の量が減少し、脱臭効率が低下すると見ることができる。また、セルの稠密度が１００ｃｅｌｌ／ｉｎｃｈ2前後である場合は、空気抵抗が増加しないと共に、フィルターの形状自体が、紫外線がフィルターの内部に照射される紫外線を遮り、陰影の発生程度が大きくないので脱臭効率に最も優れる。
【０２０９】
次に、フレームの厚さ（ｔ）に対して実験した結果、厚さが０．３ｍｍ以下である場合は、ＴｉＯ2層が過度に薄くなり、光触媒効率が低下し、強度にも問題がある。その一方で、フレームの厚さが１．２ｍｍ以上である場合は、材料費が増加するだけで、光触媒効率はこれ以上増加しなかった。フレームの厚さが０．６ｍｍである場合、光触媒効率が最も高かった。
【０２１０】
図２１は、２ｇのＴｉＯ2を１時間にわたって焼結した光触媒フィルターの焼結温度別脱臭性能を示したグラフで、図２２は、２．５ｇのＴｉＯ2を１時間にわたって焼結した光触媒フィルターの焼結温度別脱臭性能を示したグラフで、図２３は、２．５ｇのＴｉＯ2を４００℃の焼結温度で焼結時間を異ならせて製作した光触媒フィルターの焼結時間別脱臭性能を示したグラフである。
【０２１１】
図２１〜図２３を参照すると、焼結温度が３５０℃〜４５０℃である場合に脱臭性能が良く、焼結時間が１時間〜２時間である場合に光触媒フィルターの脱臭性能に大きな問題がないことを確認できる。したがって、温度の偏差を勘案して、焼結温度が４００℃で、焼結時間が１時間より短い場合、焼結が未完である場合があり得る。焼結時間が過度に長いと、却って光触媒フィルターの脱臭性能が低下するという点で、焼結時間は１時間〜２時間にする。
【０２１２】
本明細書に開示した実施例及び図面によって本発明が限定されることはなく、本発明の技術思想の範囲内で当業者によって多様な変形が可能であることは自明である。
【産業上の利用可能性】
【０２１３】
上述した本発明に産業上の利用可能性があることが明白である。
【図１】
2020171739.tif 000003
【図２】
2020171739.tif 000004
【図３】
2020171739.tif 000005
【図４】
2020171739.tif 000006
【図５】
2020171739.tif 000007
【図６】
2020171739.tif 000008
【図７】
2020171739.tif 000009
【図８】
2020171739.tif 000010
【図９】
2020171739.tif 000011
【図１０】
2020171739.tif 000012
【図１１】
2020171739.tif 000013
【図１２】
2020171739.tif 000014
【図１３】
2020171739.tif 000015
【図１４】
2020171739.tif 000016
【図１５】
2020171739.tif 000017
【図１６】
2020171739.tif 000018
【図１７】
2020171739.tif 000019
【図１８】
2020171739.tif 000020
【図１９】
2020171739.tif 000021
【図２０】
2020171739.tif 000022
【図２１】
2020171739.tif 000023
【図２２】
2020171739.tif 000024
【図２３】
2020171739.tif 000025
【図２４】
2020171739.tif 000026
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
内部の空気が吐出される吐出部（３４）及び流線型拡大ダクト（３８１）が形成された内部ハウジング（３０）と、
前記内部ハウジング（３０）の内部に配置され、ＵＶ  ＬＥＤ基板（５５）に設置されたＵＶ  ＬＥＤ（５７）と、
前記内部ハウジング（３０）の内部に配置され、前記ＵＶ  ＬＥＤ基板（５５）から前記ＵＶ  ＬＥＤ（５７）と向かう面に対して離隔して設置され、脱臭部及び集塵部を含むフィルターと、
前記内部ハウジング（３０）の下端に形成されたファン収容部（３０１）に収容されるファン（６０）と、を含み、
前記内部ハウジング（３０）内で前記ＵＶ  ＬＥＤ基板（５５）が設置された部分から前記フィルターが設置された部分に空気が流動し、
前記ファン（６０）は、前記ＵＶ  ＬＥＤ基板（５５）が設置された部分より空気流動の上流に設置され、前記ファンの排出部（６３）は、内部ハウジング（３０）の内部に空気を排出し、
前記脱臭部の一面と前記集塵部の一面は互いに向い合って配置され、
前記ＵＶ  ＬＥＤ（５７）は、前記集塵部によってろ過された微生物及びウイルスを殺菌可能な少なくとも一つの殺菌用ＵＶ  ＬＥＤを含み、
前記吐出部（３４）は、前記フィルターが設置された部分より空気流動の下流に形成され、
前記流線型拡大ダクト（３８１）は、前記ファン収容部（３０１）の上部に形成され、前記ファンの排出部（６３）から空気が流動する断面積が徐々に広くなる形状の空気清浄器。
【請求項２】
前記ファンの排出部（６３）上部の内部ハウジング（３０）の内部には、拡径されたダクトへの空気の拡散を誘導する流動ガイド（３７）が形成された、請求項１に記載の空気清浄器。
【請求項３】
前記脱臭部は光触媒フィルター（８０）を含み、前記光触媒フィルター（８０）の後面側には前記集塵部が設置された、請求項１に記載の空気清浄器。
【請求項４】
前記ＵＶ  ＬＥＤ（５７）と前記フィルターの前面との間の距離が２ｃｍ以上３ｃｍ以下である、請求項１に記載の空気清浄器。
【請求項５】
前記吐出部（３４）の上流には、紫外線が吐出部（３４）を介して外部に直接照射されることを防止する紫外線出射防止板（３９）が設置された、請求項１に記載の空気清浄器。
【請求項６】
前記ＵＶ  ＬＥＤ（５７）の強さは１４ｍＷ／ｃｍ2以上１５ｍＷ／ｃｍ2以下であり、
前記ＵＶ  ＬＥＤ（５７）に印加される電圧は５Ｖ以上１５Ｖ以下である、請求項１に記載の空気清浄器。
【請求項７】
前記内部ハウジング（３０）の上部に形成され、前記吐出部（３４）への空気の流動を誘導する流線型縮小ダクト（３８２）をさらに含む、請求項１に記載の空気清浄器。
【請求項８】
前記ＵＶ  ＬＥＤ（５７）と前記フィルターとの間には紫外線反射板が設置された、請求項１に記載の空気清浄器。
【請求項９】
前記流線型拡大ダクト（３８１）の上部には前記ＵＶ  ＬＥＤ基板（５５）が離隔して設置され、
前記ＵＶ  ＬＥＤ基板（５５）は、前記流線型拡大ダクト（３８１）の流線方向に対して傾斜して設置される、請求項１に記載の空気清浄器。
【外国語明細書】
2020171739000001.pdf